(57)【要約】      （修正有）【課題】幼児や被介護者等が食事をする際、胸や膝に食べ物の付着による汚れが惹起されたとき衣服の汚れを防止する食事汚れ防止用衣服を提供する。【解決手段】幼児又は被介護用衣服９は幼児又は被介護者が食事をする際テーブルに備え付けている椅子に着座する。衣服９の下端部左右に吸盤１０、１０を装着してある。吸盤１０、１０は、ポリ塩化ビニルから製作され、吸着部および連結部を有する。吸着部は円盤状を呈し、かつ吸着機能を有する。連結部は吸着部の突起面の中央から伸びて形成され、中空の柱状体を呈し、かつ内外二つの大径部位および二つの大径部位の間に位置する小径部位を有する。【選択図】図１
0003220992.tif 000002
【実用新案登録請求の範囲】
【請求項１】
幼児又は被介護者が着用する衣服と、該衣服の下端部左右に装着した吸盤と、該吸盤に着脱自在に固定する使用済廃却用可燃性薄肉状エプロンとでなり、該使用済廃却用可燃性薄肉状エプロンを前記衣服の表面に被覆したことを特徴とする食事汚れ防止用衣服を特徴とする食事汚れ防止用衣服。
【考案の詳細な説明】
【技術分野】
【０００１】
本考案は、幼児や被介護者等が食事をする際、胸や膝に食べ物の付着による汚れが惹起されたとき衣服の汚れを防止する食事汚れ防止用衣服に関する。
【背景技術】
【０００２】
この種、従来の技術としては図４に示す登録実用新案第３１９１１７５号公報に開示した技術がある。これについて説明すれば、全体が防水性の柔軟な素材を用いたエプロンＡであって、襟首部２の左右から首後ろに回し掛ける首掛け部１、１を設け、首掛け部１、１の左右の根元から脇にかけて腕通し部３を設け、全体の外周及び腕通し部の全ての縁をバイアステープ等でパイピングして縁取り部４を形成し、この縁取り部４において、左右の腕通し部３、３の下端から脇腹へかけてゴム入りギャザー部５を設け、ゴム入りギャザー部５から下端までの領域を平面域６とし、平面域６下端縁辺に滑り止め７を設ける。そして平面域６を軽く下方に押せば、こぼし受けポケット部８が形成される。食べ物や食べこぼしの固形物を捕捉することもちろんのこと、飲みこぼしの汁物も捕捉できる。
【先行技術文献】
【特許文献】
【０００３】
【特許文献１】登録実用新案第３１９１１７５号公報
【考案の開示】
【考案が解決しようとする課題】
【０００４】
従来の技術は叙上した構成、作用であるので次の課題が存在した。
すなわち、従来の技術では、食事に際し食事を食した者、例えば幼児等が食べ物を落下等した場合、エプロンＡの平面域６や受けポケット部８が汚れたままであり、結局、該エプロンＡを清掃するかエプロンＡの全体を取り換える必要があり、極めて不経済で手間がかかるという問題点があった。
【課題を解決するための手段】
【０００５】
本考案はかかる問題点を解決するために考案したものである。すなわち、幼児や被介護者が食事をした際にも、該幼児や被介護者が着用している洋服や子供服、被介護用服等の衣服の下端左右に吸盤を配し、この吸盤に着脱自在の薄肉状の例えば可燃性であって折畳み・変形自在の紙材やビニール材で成形した使用済み後に廃却するエプロンを上記衣服に覆設し着用して衣服のクリーニングや取替えを不要する食事汚れ防止用衣服を提供することを目的としたものであって、次の構成・手段から成立する。
すなわち請求項１記載の考案によれば、幼児又は被介護者が着用する衣服と、該衣服の下端部左右に装着した吸盤と、該吸盤に着脱自在に固定する使用済廃却用可燃性薄肉状エプロンとでなり、該使用済廃却用可燃性薄肉状エプロンを前記衣服の表面に被覆したことを特徴とする食事汚れ防止用衣服である。
【考案の効果】
【０００６】
本考案は叙上の構成を有するので、次の効果がある。
すなわち、請求項１に記載の考案によれば、幼児又は被介護者が着用する衣服と、該衣服の下端部左右に装着した吸盤と、該吸盤に着脱自在に固定する使用済廃却用可燃性薄肉状エプロンとでなり、該使用済廃却用可燃性薄肉状エプロンを前記衣服の表面に被覆したことを特徴とする食事汚れ防止用衣服を提供する。
このような構成としたので、食事に際し食事を食した者、つまり、幼児や被介護者は、食べ物を落下したとき落下した食べ物を捕捉するための使用済廃却用可燃性薄肉状エプロンを備え、これを取替えるのみでよく当該衣服本体等を清浄する必要がなく、併せて衣服を長持ちさせるという効果がある。
【図面の簡単な説明】
【０００７】
【図１】本考案に係る幼児又は被介護者が着用する食事汚れ防止用衣服及びこれに装着した使用済廃却用可燃性薄肉状エプロンを示す正面図である。
【図２】本考案に係る幼児又は被介護者が着用する衣服の表面に被覆する使用済廃却用可燃性薄肉状エプロンを示す正面図である。
【図３】本考案に係る吸盤を示す図面であって（ａ）は該吸盤の斜視図、（ｂ）は図１の矢視Ｂ―Ｂ線方向から断面した拡大図である。
【図４】従来の技術を示すエプロンの斜視図である。
【考案を実施するための形態】
【０００８】
以下、本考案の実施の形態について図面を参照しつつ説明する。
図１ないし図３は本考案に係る食事汚れ防止用衣服に関する図面である。以下これに基づき詳細に説明する。
９は本考案に係る幼児又は被介護用等の衣服である。幼児又は被介護者は幼児又は被介護者が食事をする際着用してテーブルに備え付けている椅子（図示せず）に着座する。該幼児又は被介護者が着用する衣服９は洋服、和服等の各種の衣服であって、その下端部左右に吸盤１０、１０を装着してある。尚、９ａ、９ａは袖である。該吸盤１０、１０は、例えば図３に示すものがあり例えばポリ塩化ビニルから製作され、図３（ａ）（ｂ）に示すように吸着部１１および連結部１２を有する。吸着部１１は円盤状を呈し、かつ吸着機能を有する。連結部１２は吸着部１１の突起面の中央から伸びて形成され、中空の柱状体を呈し、かつ内外二つの大径部位１２a、１２ｃおよび二つの大径部位１２a、１２ｃの間に位置する小径部位１２ｂを有する。吸着部１１側の大径部位１２aは吸着部１１と一体になり、吸着部１１の外径は大径部位１２aより大きい。中心には穿孔１３がある。該吸盤１０の上記構成は例示である。
【０００９】
次に、前述した幼児又は被介護者が着用する衣服９の表面に被覆する使用済廃却用可燃性薄肉状エプロン１４について、図２に基づき説明する。該使用済廃却用可燃性薄肉状エプロン１４は平面形状は概ね前記衣服９と同一形状でなる。その材料、材質は汎用の薄板状のビニール材、紙材又はスーパー等で提供される買物を収納するポリ袋等で低価格の材料で構成する。そして、使用済み後は前記吸盤１０、１０から廃却する。その際、吸盤１０の外側大径部位１２ｃから取外してもよく図２に示すように使用済廃却用可燃性薄肉状エプロン１４は左右２つ小孔１５、１５から亀裂１５aを予め設け使用済み後切断しても良い。
図中１６は使用済廃却用可燃性薄肉状エプロン１４の上方に設けた襟首部、１７，１７は首掛け部である。
【００１０】
本考案に係る食事汚れ防止用衣服９の使用方法について説明する。
幼児や被介護者が使用する食事汚れ防止用衣服９には予め使用済廃却用可燃性薄肉状エプロン１４を被覆する。この場合、使用済廃却用可燃性薄肉状エプロン１４は前記吸盤１０、１０の外側大径部位１２ｃに適合させて設置する。そして、幼児や被介護者等は、首掛け部１７、１７を首部に吊下げる。幼児や被介護者等は食事をするために椅子に着座して食べ物を食する。この際、幼児や被介護者又は介護者は図３（ｂ）に示すように吸盤１０、１０の外側大径部位１２ｃを掴みテーブル１８の表面１８ａに向けて押し付ける。
そのとき、外側大径部位１２ｃの圧力Ｐ１が吸着部１１に伝達し、圧力Ｐ２として伝達されテーブルの表面１８ａに該吸盤１０、１０の吸着部１１が変形して固定する。これにより使用済廃却用可燃性薄肉状エプロン１４は食事汚れ防止用衣服９と共にその裾部つまり下端部の左右がテーブル１８に固定される。被介護者等が食事をしたとき食べ物が落下した場合、食事完了後使用済廃却用可燃性薄肉状エプロン１４を食事汚れ防止用衣服９から取外し落下や付着した食べ物等を被介護者等は被包して該使用済廃却用可燃性薄肉状エプロン１４を廃却する。
【実施例】
【００１１】
次に本考案に係る使用済廃却用可燃性薄肉状エプロン１４の実施例について説明する。
上記した説明は使用済廃却用可燃性薄肉状エプロン１４が一枚の場合であるが、複数枚を吸盤１０，１０に重ねて固定する構成にしてもよい。そして、食事完了後に各一枚毎に取外しすることができる。かかる場合食事毎にその都度使用済廃却用可燃性薄肉状エプロン１４を設置をする必要がなく、手間が省略できる。
【産業上の利用可能性】
【００１２】
本考案は幼児又は被介護者のみならず、一般健常者にも適用できその利用範囲は広いものである。
【符号の説明】
【００１３】
９          食事汚れ防止用衣服
９ａ        食事汚れ防止用衣服の袖
１０        吸盤
１１        吸着部
１２ａ      内側大径部位
１２ｂ      小径部位
１２ｃ      外側大径部位
１３        穿孔
１４        使用済廃却用可燃性薄肉状エプロン
１５        小孔
１５ａ      亀裂
１６        襟首部
１７        首掛け部
１８        テーブル
１８ａ      テーブルの表面
【図１】
0003220992.tif 000003
【図２】
0003220992.tif 000004
【図３】
0003220992.tif 000005
【図４】
0003220992.tif 000006